(57)【要約】【解決手段】ジグザグ状に屈折成形された複数本の列線１，１の幅方向末端の各係合部1g，1gにおいて、二本の列線端末部1h，1hを列線基部1i，1iに対していずれも同一平面上に位置するように折曲する。列線端末部1hが列線基部1iに対して線接触している。【効果】同一平面上に折曲された列線端末部1hと列線基部1iを張線Ｅの下に潜り込ませることができるから、張線Ｅが係合部1gに極めて近いところを通るようにすることができる。従って、上下一対の胴縁Ｄ，Ｄ間に菱形金網Ｆを安定してセットすることができる。末端どおしが絡まることがなく、また、末端と金網本体とが絡まることがないので、菱形金網Ｆが変形しない。菱形金網Ｆの末端が寄せ合わされても、点接触の場合のように簡単に外れない。菱形金網Ｆがセットされ施工が完了した後においても、列線１が外れにくい。【選択図】図１
2007098426.tif 000002
【特許請求の範囲】
【請求項１】
ジグザグ状に屈折成形された複数本の列線の幅方向末端の各係合部において、少なくとも一方の列線端末部が列線基部に対して同一平面上に位置するように折曲されていることを特徴とする菱形金網。
【請求項２】
折曲された列線端末部が列線基部に対して線接触していることを特徴とする請求項１記載の菱形金網。
【請求項３】
ジグザグ状に屈折成形された複数本の列線の幅方向末端の各係合部における列線端末部の少なくとも一方を、列線基部に対して同一平面上に位置するように折曲加工することを特徴とする菱形金網の製造方法。
【請求項４】
折曲した列線端末部を列線基部に対して線接触するように折曲加工することを特徴とする請求項３記載の菱形金網の製造方法。
【発明の詳細な説明】
【技術分野】
【０００１】
本発明は、線材をジグザグ状に屈折成形した複数本の列線を金網の長さ方向に一連に連係させた菱形金網における幅方向末端の係合部の構造とこの菱形金網の製造方法に関するものである。
【背景技術】
【０００２】
安全用あるいは防犯用のネットフェンスや落石防護網には、通常、線材をジグザグ状に屈折成形して得られる複数本の列線を金網の長さ方向に一連に連係させた菱形金網が用いられている。
この菱形金網をネットフェンスに組み立てるには、図２に示すように、地上に立設した端柱、主柱あるいは隅柱（図面符号Ａ、Ｂ、Ｃで示す）と称する複数の柱間に山形鋼材からなる金網取り付け用の胴縁Ｄを架設し、各柱Ａ〜Ｃと胴縁Ｄとにわたって菱形金網Ｆを張り付けることにより行う。
【０００３】
この場合において、菱形金網Ｆの幅方向末端を胴縁Ｄに定着するには、通常、図３(a)に示すように、菱形金網Ｆの幅方向末端部分に並ぶ各網目に通し線と称する張線Ｅを順次通し、しかる後、同図(b)に示すように、この張線Ｅを胴縁Ｄの係止爪ｄに引っ掛けている（例えば、特許文献１参照）。
【０００４】
【特許文献１】特開２００５−７４２４号公報
【０００５】
図３には、菱形金網Ｆの幅方向の上側末端を上側の胴縁Ｄに定着する場合を示すが、胴縁Ｄは図２に示すように各柱Ａ〜Ｃの上下に一対として設置されており、菱形金網Ｆの幅方向の下側末端においても上側の場合と同じように胴縁Ｄに定着される。
なお、菱形金網Ｆの幅方向とは図面の上下方向、長さ方向とは図面の左右方向を指す。
【０００６】
この菱形金網Ｆには、上述したように、ジグザグ状に屈折成形された列線１が多数使われている。そして、これら各列線１，１の屈折部1a，1aを互いに係合させることにより、所定幅で図の横方向に伸びる長さ自在の菱形金網Ｆを得ることができるが、その幅方向末端には列線１，１の各屈折部1b，1bを互いに係合することにより形成される係合部1cが長さ方向（横方向）に同じピッチで並んでいる。
この係合部1cにおける２本の列線１，１の末端を、図４に示すように、いずれも互いに反対方向の水平状に折曲したものがある（これを、通常水平ナックルあるいは半ナックルと呼んでいる）。
【発明の開示】
【発明が解決しようとする課題】
【０００７】
この端末加工によれば、巻回して出荷した菱形金網Ｆを現場において巻き戻す際末端どおしが絡まり、あるいは、末端と金網本体とが絡まり、菱形金網Ｆが変形する。また、菱形金網Ｆの列線が引っくり返ってずれたり、係合部1cが外れるという事態が生じる。
このナックル加工方式に対して、図５に示すように、係合部1cにおける２本の列線１，１の折り返した末端1dを列線１に接するように折曲した場合（完全ナックル方式と呼んでいる）には、上述した事態が生じることはなく、また、この加工方式が菱形金網Ｆの端末加工としては最も優れているが、このように加工された菱形金網Ｆを金網取り付け用の胴縁Ｄにセットすることができない。
【０００８】
この端末加工によれば、図５に示すように、菱形金網Ｆの幅方向末端に係合部1cを形成するに当って、列線１の端末1dを金網の厚さ方向（図５の紙面の表裏方向）に折曲しているため、その部分では列線１の少なくとも２本分以上の厚みとなり、その厚みが邪魔して張線Ｅが編目の隅部を通るように張線Ｅを通すことができないからである。すなわち、図４に示すように、張線Ｅが係合部1cに極めて近いところを通るようにすることができず、図５においてＨで示すように、編目の隅部と張線Ｅとの距離が大きく開く。従って、上下一対の胴縁Ｄ，Ｄ間に菱形金網Ｆを安定してセットすることができない。
【課題を解決するための手段】
【０００９】
このような欠点を解消するために、本発明では、ジグザグ状に屈折成形された複数本の列線１，１の幅方向末端の各係合部1g，1gにおいて、少なくとも一方の列線端末部1hが列線基部1iに対して同一平面上に位置するように折曲されている。
この場合には、列線端末部1hと列線基部1iとが同一平面上にあり、各係合部1g，1gにおいて金網の厚さ方向（図１(b)の紙面の表裏方向）には厚くならず、その部分を張線Ｅの下に潜り込ませることができるから、張線Ｅが係合部1gに極めて近いところを通るようにすることができる。従って、上下一対の胴縁Ｄ，Ｄ間に菱形金網Ｆを安定してセットすることができる。また、巻回して出荷した菱形金網Ｆを現場において巻き戻す際末端どおしが絡まることがなく、あるいは、末端と金網本体とが絡まることがなく、菱形金網Ｆが変形しない。菱形金網Ｆの列線が引っくり返ってずれたり、幅方向末端の係合部1gが外れることもない。さらに、物や人が引っ掛かる事故もなくなる。
【００１０】
折曲された列線端末部1hが列線基部1iに対して線接触していることが最も好ましい。ここにいう線接触とは、図１(b)においてＬで示すように、列線端末部1hが列線基部1iに一定の長さにわたって接触することである。このようになっていると、菱形金網Ｆの末端が寄せ合わされても、点接触の場合のように簡単に外れることはない。また、菱形金網Ｆがセットされ施工が完了した後においても、列線１が外れにくい。
【００１１】
一方、本発明の菱形金網の製造方法は、ジグザグ状に屈折成形された複数本の列線１，１の幅方向末端の各係合部1g，1gにおける列線端末部1hの少なくとも一方を、列線基部1iに対して同一平面上に位置するように折曲加工することを特徴とするものである。この製造方法によれば、張線Ｅが幅方向末端の係合部1gに極めて近い編目の隅部を通るように張線Ｅを通すことができる菱形金網Ｆを、容易に製造することができるから、上下一対の胴縁Ｄ，Ｄ間に安定してセットできる菱形金網Ｆを、容易に製造することができる。
【００１２】
折曲した列線端末部1hを列線基部1iに対して線接触するように折曲加工することが最も好ましい。このような折曲加工を行うと、金網の末端が寄せ合わされても点接触の場合のように簡単に外れることのない菱形金網Ｆを、容易に製造することができる。また、セットされ施工が完了した後においても、列線が外れにくい菱形金網Ｆを容易に製造することができる。
【発明の効果】
【００１３】
請求項１記載の菱形金網を用いれば、上下一対の胴縁Ｄ，Ｄ間に安定してセットすることができる。また、巻回して出荷した菱形金網を現場において巻き戻す際末端どおしが絡まることがなく、あるいは、末端と金網本体とが絡まることがなく、菱形金網が変形しない。菱形金網の列線１が引っくり返ってずれたり、幅方向末端の係合部1gが外れることもない。さらに、物や人が引っ掛かる事故もなくなる。
【００１４】
請求項２記載の菱形金網によれば、その末端が寄せ合わされても、点接触の場合のように簡単に外れることはない。また、菱形金網がセットされ施工が完了した後においても、列線が外れにくい。
【００１５】
請求項３記載の菱形金網の製造方法によれば、張線Ｅが幅方向末端の係合部1gに極めて近い編目の隅部を通るように張線Ｅを通すことができる菱形金網Ｆを容易に製造することができるから、上下一対の胴縁Ｄ，Ｄ間に安定してセットできる菱形金網Ｆを、容易に製造することができる。
【００１６】
請求項４記載の菱形金網の製造方法によれば、金網の末端が寄せ合わされても点接触の場合のように簡単に外れることのない菱形金網を、容易に製造することができる。また、セットされ施工が完了した後においても、列線が外れにくい菱形金網を容易に製造することができる。
【発明を実施するための最良の形態】
【００１７】
本発明の好ましい実施の形態を、図面に基づいて詳細に説明する。
ここに例示する菱形金網Ｆも、従来の場合と同様に、ジグザグ状に屈折成形された列線１が多数使われている。そして、これら各列線１，１の屈折部1e，1eを互いに係合させることにより、従来の場合と同様に、所定幅で図の横方向に伸びる長さ自在の菱形金網Ｆを得ることができる。また、菱形金網Ｆの幅方向末端には、従来の場合と同様に、列線１，１の各屈折部1f，1fを互いに係合することにより形成される係合部1gが長さ方向（図１の横方向）に同じピッチで並んでいる。
【００１８】
この菱形金網Ｆをネットフェンスに組み立てるに当っても、従来の場合と全く同様の手順で行われる。すなわち、地上に立設した端柱、主柱あるいは隅柱（図２において、図面符号Ａ、Ｂ、Ｃで示す）と称する複数の柱間に、山形鋼材からなる金網取り付け用の胴縁Ｄを架設し、各柱Ａ〜Ｃと胴縁Ｄとにわたって菱形金網Ｆを張り付けることにより行う。
そして、この菱形金網Ｆの幅方向末端を胴縁Ｄに定着するに当っても、従来の場合と同様に、菱形金網Ｆの幅方向末端部分に並ぶ各網目に通し線と称する張線Ｅを順次通し（図３(a)の場合と同じ）、しかる後、同図(b)の場合と同じように、ドライバーなどの工具を用いてこの張線Ｅを胴縁Ｄの係止爪ｄに引っ掛ける。
【００１９】
この菱形金網Ｆの新規な点は、すなわち、従来の場合と異なるところは、ジグザグ状に屈折成形された複数本の列線１，１の幅方向末端の各係合部1g，1gにおいて、二本の列線端末部1h，1hが列線基部1i，1iに対していずれも同一平面上に位置するように折曲されていることである。２つある列線端末部1h，1hのうち、少なくとも一方の列線端末部1hが列線基部1iに対して同一平面上に位置するように折曲されておればよい。
【００２０】
この場合には、列線端末部1hと列線基部1iとが同一平面上にあり、各係合部1g，1gにおいて金網の厚さ方向（図１(b)の紙面の表裏方向）には厚くならず、その部分を張線Ｅの下に潜り込ませることができるから、張線Ｅが係合部1gに極めて近いところを通るようにすることができる。従って、上下一対の胴縁Ｄ，Ｄ間に菱形金網Ｆを安定してセットすることができる。また、巻回して出荷した菱形金網Ｆを現場において巻き戻す際末端どおしが絡まることがなく、あるいは、末端と金網本体とが絡まることがなく、菱形金網Ｆが変形しない。菱形金網Ｆの列線が引っくり返ってずれたり、係合部1fが外れることもない。さらに、物や人が引っ掛かる事故もなくなる。
【００２１】
ここには、折曲された列線端末部1hが列線基部1iに対して線接触している場合が例示されている。ここにいう線接触とは、図１(b)においてＬで示すように、列線端末部1hが列線基部1iに一定の長さにわたって接触することである。このようになっていると、菱形金網Ｆの末端が寄せ合わされても、点接触の場合のように簡単に外れることはない。また、菱形金網Ｆがセットされ施工が完了した後においても、列線が外れにくい。
【００２２】
この菱形金網Ｆを製造するには、自動菱形金網機が用いられる。そして、ジグザグ状に屈折成形された複数本の列線１，１の幅方向末端の各係合部1g，1gにおける列線端末部1hの少なくとも一方を、列線基部1iに対して同一平面上に位置するようにプレスにより折曲加工する。この製造方法によれば、列線端末部1hと列線基部1iとが同一平面上にあり、その部分を張線Ｅの下に潜り込ませることができるから、張線Ｅが係合部1fに極めて近い編目の隅部を通るように張線Ｅを通すことができる菱形金網Ｆを、容易に製造することができる。従って、上下一対の胴縁Ｄ，Ｄ間に安定してセットできる菱形金網Ｆを、容易に製造することができる。
【００２３】
ここには、プレスにより折曲した列線端末部1hを列線基部1iに対して線接触するように折曲加工されたものが例示されている。このような折曲加工を行うと、金網の末端が寄せ合わされても点接触の場合のように簡単に外れることのない菱形金網Ｆを、容易に製造することができる。また、セットされ施工が完了した後においても、列線１，１が外れにくい菱形金網Ｆを容易に製造することができる。
【図面の簡単な説明】
【００２４】
【図１】本発明による菱形金網の一例を示す概略図で、(a)は部分拡大正面図、(b)は編目の隅部に張線を通した状態をさらに拡大して示す部分正面図である。
【図２】菱形金網をネットフェンスに組み立てた場合の施工図で、(a)は施工状態を示す正面図、(b)は隅柱付近の施工状態を示す斜視図である。
【図３】菱形金網Ｆの幅方向の上側末端を上側の胴縁Ｄに定着する状態を示す正面図で、(a)は編目の隅部に通した張線を胴縁の係止爪に引っ掛ける前の状態を、(b)はドライバーを用いて張線を胴縁の係止爪に引っ掛けたときの状態を示す。
【図４】端末加工が水平ナックル（半ナックル）方式の従来の菱形金網の一例を示す部分拡大正面図である。
【図５】端末加工が完全ナックル方式の従来の菱形金網の一例を示す部分拡大正面図である。
【符号の説明】
【００２５】
１…列線、1e，1f…屈折部、1g…係合部、1h…列線端末部、1i…列線基部、Ａ…端柱、Ｂ…主柱、Ｃ…隅柱、Ｄ…胴縁、Ｅ…張線、Ｆ…菱形金網、Ｌ…線接触している部分の長さ、ｄ…係止爪。
【図１】
2007098426.tif 000003
【図２】
2007098426.tif 000004
【図３】
2007098426.tif 000005
【図４】
2007098426.tif 000006
【図５】
2007098426.tif 000007